(57)【要約】【課題】  トイレをリラックスできる空間にして、さらに、排便を行いやすい姿勢も保つことができるリクライニングトイレを設置できるリクライニングトイレキットを提供すること。【解決手段】  前方が高く、後方にいくほど低い傾斜した上面を有する便座を備えた便座キットと、前記便座キットの後方に設けられ、クッションを埋め込んだ背もたれを備えた背もたれキットと、を有することを特徴とするリクライニングトイレキットを提供する。【選択図】  図１０
2016116696.tif 000002
【特許請求の範囲】
【請求項１】
前方が高く、後方にいくほど低い傾斜した上面を有する便座を備えた便座キットと、
前記便座キットの後方に設けられ、クッションを埋め込んだ背もたれを備えた背もたれキットと、を有することを特徴とするリクライニングトイレキット。
【請求項２】
前記背もたれキットは前記便座キットの後端に回転可能に取り付けられたことを特徴とするリクライニングトイレキット。
【請求項３】
前記便座は、肘を置く肘掛けを少なくとも１つ備えたことを特徴とする請求項１または請求項２に記載のリクライニングトイレキット。
【請求項４】
便座の上面に取り付けられ、前方が厚くなっている前部補助部を備えた便座キットと、
クッションを埋め込んだ素材からなる背もたれに取り付け可能な背もたれカバーキットと、を有することを特徴とするリクライニングトイレキット。
【発明の詳細な説明】
【技術分野】
【０００１】
本発明は、クッションを埋め込んだリクライニング可能な背もたれ部と、前方が高く、後方にいくほど低くなっている便座部とを有するリクライニングトイレキットに関する。
【背景技術】
【０００２】
従来、腰掛け式の便器は、便器本体の上に便座をセットし、この便座の上に腰掛けて使用するようになっているものが一般的である。該腰掛け式便器の便座には蓋が設けられ、便器を使用する時は、蓋を開けて垂直に立てたうえ、蓋を背もたれとして使用する。該蓋は、便器と同程度または少し大きい大きさで、プラスチック成型等で作られた薄い形状であることが多い。該蓋は、便器を使用しないときに便器を覆うことを主目的として作られているので、背もたれとして体重をかけて寄りかかるには、強度面で不安があり、安定感がない。また、素材も硬くて肌触りが悪い。また、該蓋は、開けた状態では、床面に対し垂直に近い角度となっているので、人間が座った際の上半身のラインにフィットしておらず、背もたれとして使いづらい。そこで、便器の蓋を、便器の側面に別途設け、便器の後方に、リクライニング式の背もたれを取り付けた背もたれ付き便器が考案されている（特許文献１）。
【先行技術文献】
【特許文献】
【０００３】
【特許文献１】特開平５−１３７６７０号公報
【発明の概要】
【発明が解決しようとする課題】
【０００４】
しかし、特許文献１の背もたれ付き便器は、背もたれを倒して寄りかかることはできるが、便座が、一般的な既存の便座となっており、便座の上面がフラットであるため、背もたれを倒して便座に座ると、お尻がすこし浮いた状態となる。したがって、背もたれにもたれたままの姿勢では、いきみにくく、排便しにくいので、背もたれを倒してリラックスしている最中に、便意をもよおしたら、背もたれを起して体勢を変えてから排便する必要がある。
【０００５】
そこで、この発明の目的は、背もたれと、前方が高くなるよう傾斜をつけた便座とで、便座に座って背もたれに体を預けた状態のままでも、お尻をつきだす体勢がとれ、リラックスした体勢のまま、そのまま姿勢を変えずに排便もできる、リラックスしやすく、かつ、いきみやすい、リクライニングトイレキットを提供する。この発明によれば、トイレをリラックスできる空間にして、さらに、排便を行いやすい姿勢もそのまま保つことができる。頑固な便秘等トイレに長時間いなければいけない人や、腰痛等のため、長時間、便器に座っていることが苦痛な人、排便時に腹筋に力を入れにくい人にとって、大変有用である。
【課題を解決するための手段】
【０００６】
この発明にかかるリクライニングトイレキットは、前方が高く、後方にいくほど低く傾斜した上面を有する便座を備えた便座キットと、前記便座キットの後方に設けられ、クッションを埋め込んだ背もたれを備えた背もたれキットと、を有することを特徴とする。
【０００７】
この発明によれば、排尿または排便のため便器に座った際、背もたれに体を預けて、リラックスした体勢で過ごすことができる。また、便器の前方が後方に比して高くなっていることで、背もたれを倒した姿勢でも、上半身と下半身の角度を垂直に近い角度に保つことができ、いきみやすく、背もたれに体を預けたままの姿勢でも、排便を行うことができる。また、お尻が便器の開口から浮いてしまうことがないので快適に排便できる。
【０００８】
また、この発明にかかるリクライニングトイレキットの背もたれキットは前記便座キットの後端に回転可能に取り付けられ、所定角度で固定可能であることを特徴とする。
【０００９】
この発明によれば、背もたれの角度を自由に設定できるので、排便の際、個々の好みに応じて腹筋に力を入れやすい角度に設定でき、快適に排便を行うことができる。また、背もたれを倒してリラックスすることで、使用者は余分な力を抜くことができるので、排便の際に、腹筋や背筋が疲れにくい。
【００１０】
また、この発明にかかるリクライニングトイレキットの便座は、肘を置く肘掛けを少なくとも１つ備えたことを特徴とする。
【００１１】
この発明によれば、便器に座った際、背もたれに体を預け、肘を肘掛けに置くことができ、排便時の姿勢が安定する。また、背もたれを大きく倒してリラックスし、排便時には、背中を背もたれから起した状態で用を足す場合に、肘掛けを手で持って体を起こせるので、楽に姿勢を変えることができる。
【００１２】
また、この発明にかかるリクライニングトイレキットは、便座の上面に取り付けられ、前方が厚くなっている前部補助部を備えた便座キットと、クッションを埋め込んだ素材からなる背もたれに取り付け可能な背もたれカバーキットと、を有することを特徴とする。
【００１３】
この発明によれば、既存のウォッシュレット便座を取り付けたまま、リクライニングトイレを設置でき、ウォッシュレット機能を使用しつつ、背もたれを倒しリラックスした姿勢で排便及び排尿を行うことができる。便座キットは、便座前方を覆うのみで、便座の中ほどから後方は覆わないため、便座表面や裏面に着座センサーが設けられているウォッシュレット便座でも、着座センサーの動作を邪魔することがない。
【図面の簡単な説明】
【００１４】
【図１】この発明の実施の形態１にかかるリクライニングトイレキット１００であって、便座キット１と背もたれキット２を示す斜視図である。
【図２】図１に示したリクライニングトイレキット１００の便座キット１と背もたれキット２を示す側面図である。
【図３】図２に示したリクライニングトイレキット１００の便座キット１と背もたれキット２を示すＡ−Ａ断面図である。
【図４】図１に示したリクライニングトイレキット１００の便座キット１と背もたれキット２を示す底面図である。
【図５】図４に示したリクライニングトイレキット１００の便座キット１と背もたれキット２を示すＢ−Ｂ断面図である。
【図６】図１に示したリクライニングトイレキット１００の便座キット１と背もたれキット２を示す上面図である。
【図７】図１に示したリクライニングトイレキット１００の背もたれキット２を垂直に起した状態を示す斜視図である。
【図８】図１に示したリクライニングトイレキット１００の背もたれキット２を便座キット１側に倒して閉じた状態を示す斜視図である。
【図９】図１に示したリクライニングトイレキット１００を、便器に取り付ける方法を説明する説明図である。
【図１０】図１に示したリクライニングトイレキット１００を便器に取り付けた状態を示す説明図であって（ａ）は、背もたれを少し倒して使用している状態を示す斜視図であって、（ｂ）は、背もたれを更に倒して使用している状態を示す斜視図である。
【図１１】図１に示したリクライニングトイレキット１００を便器に取り付けた状態を示す説明図であって（ａ）は、背もたれを起した状態の斜視図であって、（ｂ）は、背もたれを起した状態での使用時を示す斜視図である。
【図１２】図１に示したリクライニングトイレキット１００を便器に取り付けた状態を示す説明図であって、背もたれを便座キット側に倒して閉じた状態を示す斜視図である。
【図１３】この発明の実施の形態２にかかるリクライニングトイレキット２００であって、背もたれキット２を倒した状態を示す斜視図である。
【図１４】図１３に示したリクライニングトイレキット２００を、タンク一体型便器（ワンピース型便器）に取り付けた状態を示す参考側面図である。
【図１５】図１３に示したリクライニングトイレキット２００を、タンク付き便器に取り付けた状態を示す参考側面図である。
【図１６】この発明の実施の形態３にかかるリクライニングトイレキット３００の便器キット３と背もたれカバーキット４を示す斜視図である。
【図１７】図１６に示したリクライニングトイレキット３００を、便器に取り付ける手順を示す説明図である。
【図１８】図１６に示したリクライニングトイレキット３００を、便器に取り付ける手順を示す説明図である。
【図１９】図１６に示したリクライニングトイレキット３００を、便器に取り付けた状態を示す斜視図である。図である。
【発明を実施するための形態】
【００１５】
（実施の形態１）
図１は、この発明の実施の形態１にかかるリクライニングトイレキット１００であって、便座キット１と背もたれキット２を示す斜視図である。図２は、図１に示したリクライニングトイレキット１００の便座キット１と背もたれキット２を示す側面図である。図３は、図２に示したリクライニングトイレキット１００の便座キット１と背もたれキット２を示すＡ−Ａ断面図である。
【００１６】
図１に示すように、本発明のリクライニングトイレキット１００は、便座キット１と、背もたれキット２を主に有する。便座キット１は、中央にＯ型の開口が設けられている。また、便座の上に人が座ったときに前方となる側（換言すると座った人の膝裏があたる側）が後方（換言すると座った人のお尻がくる側）に比して高くなっている。便座キット１の前方が高くなっていることで、便座キット１の上に人が座ったとき、膝側よりお尻側が低くなる体勢を作ることができる。背もたれキット２は、接続具２４によって、便座キット１の後端の接続部１５に、回転可能に取り付けられている。
【００１７】
図２に示すように、背もたれキット２は、厚みを持った背もたれであって、人が便座に座って背もたれにもたれた際に、頭があたる部分は、枕状に膨らんでいる。背もたれキット２の内部には、鉄骨その他の硬くて上部な骨組みが内蔵されており、背もたれに加重がかかっても、耐えられる十分な強度を担保した構造となっている。背もたれキット２の表面は、綿やキルティング生地、レザー製等、肌触りの良い生地が貼られており、内蔵された骨組みの周りには、中綿やクッション材等の緩衝材が詰められている。緩衝材料として、中綿やクッション材を詰めるほか、内部に空気を充填させる形式としても良い。内部に空気を充填させる形式とする場合は、外側はビニル素材等にすると良い。
【００１８】
便座キット１の中央部分について、図３に示すように、便座キットの内縁は、緩やかな丸みを持っており角がない形状となっている。この丸みによって、便座キット１に人が座った際、角がお尻や太ももにあたらず、快適に座ることができる。
【００１９】
図４は、この発明の実施の形態１にかかるリクライニングトイレキット１００であって、便座キット１と背もたれキット２を示す底面図であって、図５は、図４に示したリクライニングトイレキット１００の便座キット１と背もたれキット２を示すＢ−Ｂ断面図である。図６は、この発明の実施の形態１にかかるリクライニングトイレキット１００であって、便座キット１と背もたれキット２を示す上面図である。
【００２０】
図４に示すように、リクライニングトイレキット１００の便座キット１の底面には、便器に取り付けるための取付具１６が設けられている。取付具１６は、便器側に取り付けるベースプレートＢ１（図９参照、後述）と対応している。既製品の便器から便座を取り外し、便座を取り外した便器に取付具１６に対応したベースプレートＢ１を取り付け、リクライニングトイレキット１００に設けられた取付具１６を便器のベースプレートＢ１に嵌め込むようにして、便器にリクライニングトイレキット１００を設置するためである。リクライニングトイレキット１００の便器への取付方法は、取付具とベースプレートで接続する方法以外にも、ボルトとナットで固定する方法等、便座を便器に取り付けるための既存の方法を用いることができる。
【００２１】
図５に示すように、リクライニングトイレキット１００の便座キット１は、背もたれキットが取り付けられている側と対向する側が、高くなっており、中央付近が一番低く、背もたれキットが取り付けられている側は中央付近より少し高くなっている。背もたれキット２は、中央部に、クッションが埋め込まれている。クッションが埋め込まれていることによって、背もたれに、体を預けた際、背中に肌触りが良く、やわらかいクッションがあたるので、リラックスでき、快適にトイレタイムを過ごすことができる。また、背中から腰にかけての広い部分にクッションが設けられているので、長時間使用しても腰にかかる負担が少なく、腰痛になりにくい。
【００２２】
図６に示すように、背もたれキット２は、中央部分にクッション材を埋め込んだクッション部２１が設けられている。背もたれキット２は、肌触りの良い柔らかい生地で覆われており、内側に中綿やクッション材が埋められている。ビニル素材やレザー素材で表面を覆っても良い。便座キット１は、プラスチック成型などで形成しても良いし、背もたれキット２と同じようにクッション材や中綿を充填し、表面を柔らかい生地や布地、レザーやビニル素材で覆う構造としても良い。柔らかい素材を用いて便座キット１を作成する場合は、プラスチック成型した便座を骨組みとして内蔵させる等して、座ったときに安定する強度を確保することが望ましい。
【００２３】
図７は、この発明の実施の形態１にかかるリクライニングトイレキット１００であって、背もたれキット２を起した状態を示す斜視図である。図８は、この発明の実施の形態１にかかるリクライニングトイレキット１００であって、背もたれキット２を便座キット１側に倒して閉じた状態を示す斜視図である。
【００２４】
図７に示すように、背もたれキット２は、便座キット１に回転可能に取り付けられており、所定角度に調整可能となっている。背もたれを床面に対して垂直に近い角度にするほど、上半身と太ももとで形成する角度が鋭角となり、お尻を突き出すような姿勢になるため、いきみやすくなる。便秘等で力を入れる必要がある場合は背もたれを垂直に起こすようにして使用する。また、背もたれを床面に対して平行に近い角度にするほど、上半身と太ももとで形成する角度は鈍角となり、仰臥位に近い体勢になるのでリラックス効果が高くなる。
【００２５】
図８に示すように、背もたれキット２は、便座キット１に回転可能に取り付けられており、便座側に倒すこともできる。使用しないときや、取り外して運搬するとき、収納するときは、このように背もたれキット２を便座側に倒しておくとコンパクトになりスペースをとらないので便利である。
【００２６】
図９は、ここの発明の実施の形態１にかかるリクライニングトイレキット１００を、便器に取り付ける方法を説明する説明図である。図１０は、図１に示したリクライニングトイレキット１００を便器に取り付けた状態を示す説明図であって（ａ）は、背もたれを少し倒して使用している状態を示す斜視図であって、（ｂ）は、背もたれを更に倒して使用している状態を示す斜視図である。図１１は、この発明の実施の形態１にかかるリクライニングトイレキット１００を便器に取り付けた状態を示す説明図であって（ａ）は、背もたれを起した状態の斜視図であって、（ｂ）は、背もたれを起した状態での使用時を示す斜視図である。図１２は、この発明の実施の形態１にかかるリクライニングトイレキット１００を便器に取り付けた状態を示す説明図であって、背もたれを便座キット１側に倒して閉じた状態を示す斜視図である。
【００２７】
図９に示すように、リクライニングトイレキット１００を便座に取り付ける際は、便器から既存の便座を取り外し、便器上面に、リクライニングトイレキット１００の裏面に設けられた取付具１６に対応した取付具Ｂ１を取り付けたうえで、ウォッシュレットを便器に取り付ける要領で、リクライニングトイレキット１００を便器の上面に沿って滑らせるように動かして、リクライニングトイレキット１００の便座キット１裏面の取付具１６を、便器側の取付け具Ｂ１に嵌めこんで設置する。便器へのリクライニングトイレキット１００の取り付け方法は便器上面と便座キット１の裏面に取付具Ｂ１及び取付具１６を取り付けて嵌めこんで接続する方法のほか、便座を取り外した便器の上部に設けられた孔を利用して、リクライニングトイレキット１００を、ボルトその他の留め具で固定して設置しても良い。
【００２８】
図１０（ａ）に示すように、使用者は、リクライニングトイレキット１００の便座キット１の上にお尻を乗せて座ったあと、背もたれキット２に背中をつけてもたれかける。背もたれキット２は、便座キット１に回転可能に取り付けられており、便座キットに取り付けられたレバーまたはリモコン操作で、背もたれキット２の角度を所定角度に設定できるようになっている。使用者は、背もたれに背中をつけた状態で、レバー操作またはリモコン操作を行い、背もたれキット２を倒して、背もたれキット２を好みの角度に設定する。図１０（ｂ）に示すように、背もたれキット２を更に倒すと、ちょうど、リクライニングチェアーのような形状とすることができる。使用者は、各人の好みに応じて、最適な角度に背もたれキット２の角度を調整して設定し、快適に使用することができる。
【００２９】
通常の形状の便座に座って、背もたれを倒した状態にすると、使用者は、そのままでは、お尻が浮いてしまう体勢になるので、腹筋に力を入れにくく、そのままの姿勢では、排便など、いきむことが難しい。便座キット１を便座Ｂ３に設置した状態で、使用者が上に座ると、使用者の膝裏にあたる部分がもっとも高く、お尻の部分が低くなるような姿勢をとることができるので、お尻を突き出すような姿勢をとることができ、背もたれを倒した状態のままでも、いきむことができる。使用者は、背もたれを倒しリラックスした体勢をとりつつ、便意を感じたら、背もたれを戻さずそのままの体勢で、いきむことも可能である。個人の好みより、排便時は、背もたれを起したり、背もたれの角度を変えたりして排便しやすい角度に変更して使用しても良い。
【００３０】
図１１（ａ）に示すように、便座Ｂにリクライニングキット１００を設置し、背もたれキット２を床面に対し垂直に近い角度に起した状態にすると、通常の椅子形状となる。図１１（ｂ）に示すように、使用者が、リクライニングトイレキット１００の便座キット１の上にお尻を乗せて座り、背もたれキット２に背中をつけて座ると、背もたれキット２の中央部に埋め込まれたクッション部２１が背中に柔らかくあたり、快適にトイレタイムを過ごすことができる。背もたれキット２を倒した状態では、排便時にいきみにくいという場合は、背もたれキット２を倒してリラックスタイムを楽しんだあと、背もたれキット２を起して、排便を行う。排便でいきみ疲れたら、背もたれキット２を倒して休憩する、というように、背もたれキット２を起したり倒したりして、快適なトイレタイムを過ごすことができる。
【００３１】
図１２に示すように、トイレを使用しない場合は、背もたれキット２を便座キット１側に倒して閉じておけば、便座キット１の上に埃がたまることがなく衛生的である。また、背もたれキット２や便座キット１のカバーは着脱可能なものにして、適時、取り外して洗濯可能なものとすると更に良い。
【００３２】
図１３は、この発明の実施の形態２にかかるリクライニングトイレキット２００であって、背もたれキット２を倒した状態を示す斜視図である。図１４は、この発明の実施の形態２にかかるリクライニングトイレキット２００を、タンク一体型便器（ワンピース型便器）に取り付けた状態を示す参考側面図である。図１５は、この発明の実施の形態２にかかるリクライニングトイレキット２００をタンク付き便器に取り付けた状態を示す参考側面図である。
【００３３】
図１３に示すように、この発明の実施の形態２にかかるリクライニングトイレキット２００は、便座キット１と、背もたれキット２に加えて、便座キット１に肘掛け１７を設けたことを特徴とする。肘掛け１７は、便座キット１の、どちらか片方に取り付ければ良い。肘掛け１７は、どちらか片方にあれば、便座に座る際や、便座から立ち上がる際に、使用することができるので、動作を楽に行うことができるようになり、腰痛を持っている人や、高齢者が使用する際に、便利である。また、肘掛け１７が片側のみに設置されていると、便座に座る人が大柄であった場合でも、邪魔にならない。便座キット１の肘掛け１７は、両側に取り付けても良いが、その場合は、大柄な人が便座に座る際、肘掛け１７が邪魔になることがあるので、肘掛け１７の形状を、小さくして邪魔にならないようにするか、または、肘掛け１７を着脱可能にすると良い。
【００３４】
リクライニングトイレキット２００の便座キット１は、実施の形態１のリクライニングトイレキット１と同様、便座の上に人が座ったときに前方となる側（換言すると座った人の足先が来る側）が後方に比して高くなっている。便座キット１の前方が高くなっていることで、便座キット１の上に人が座ったとき、お尻側が低くなる体勢を作ることができる。便座の前方が後方より高くなっていると、お尻が開口部１１に深く入りこむことになるので、トイレを使用した後、立ち上がるのにいつもより腹筋の力を要し、腰にも多少の負担がかかることになるが、肘掛け１７が設けられていることにより、立ち上がる際に、肘掛けに手をかけて立ちあがることができるので、腰に負担がかからず、楽に立ち上がることが可能となる。
【００３５】
リクライニングトイレキット２００は、背もたれキット２を深く倒すことができるよう図１４に示すように、ワンピース型のトイレに設置すると良い。タンクレス型のトイレに設置した場合は、背もたれキット２を床面に対し平行に近い角度まで深く倒すことができるので、より一層、リラックスした姿勢をとることができる。
【００３６】
リクライニングトイレキット２００は、ワンピース型またはタンクレス型のトイレに設置することが望ましいが、図１５のように、一般的な、タンク付きトイレに設置することも可能である。タンク付きトイレに設置した場合は、背もたれキット２の角度を、それほど自由に設定できないが、クッションの埋め込まれた頭部２２と、十分な柔らかさをもつクッション部２１とで、使用者の上半身を包み込むように支えるので、リラックスしたトイレタイムを使用者に提供することができる。また、便座キット１を設けることで、便座の前方が後方に比して高くなり、使用者が、通常の便座に座るよりも、お尻を突き出した状態で座ることになるので、排便時に、より力をこめていきみやすくなる。
【００３７】
図１６は、この発明の実施の形態３にかかるリクライニングトイレキット３００の便器キット３と背もたれカバーキット４を示す斜視図である。図１７及び図１８は、図１６に示したリクライニングトイレキット３００を、便器に取り付ける手順を示す説明図である。図１９は、図１６に示したリクライニングトイレキット３００を、便器に取り付けた状態を示す斜視図である。
【００３８】
図１６に示すように、この発明の実施の形態３にかかるリクライニングトイレキット３００は、便座キット３と、背もたれキット４とを、主に有する。実施の形態１にかかるリクライニングトイレキット１００及び実施の形態２にかかるリクライニングトイレキット２００は、便器から、既存の便座を取り外したうえで、リクライニングトイレキット１００又は２００を設置するものであるが、実施の形態３にかかるリクライニングトイレキット３００は、既存の便座をそのまま取り外さずに設置できるものである。既存の便座だけでなく、ウォッシュレット便座もそのまま使えるので、ウォッシュレット機能を利用しつつ、リクライニングトイレキット３００を使用することができる。
【００３９】
便座キット３は、便座Ｂ３の上に設置され、便座Ｂ３の前方を高くするための前部補助部３２と、前部補助部３２の下部から突き出た２枚の平板形状の差込固定バー３１とを主に有する。前部補助部３２は袋状になっており、縁にはゴム４３が設けられている。便座キット３は、差込固定バー３１を、便器Ｂと便座Ｂ３の間隙に差し入れたうえ、袋状の前部補助部３２を便座Ｂ３にかぶせるようにして設置する。背もたれカバーキット４は、クッションが埋め込まれた頭部４１と、柔らかく弾力を有する素材またはクッション素材からなる背もたれ部４２を主に有している。背もたれカバーキット４も、袋状になっている。背もたれカバーキット４の縁であって、開口部４４に接する部分は、ゴム４３が取り付けられている。背もたれカバーキット４は、既存の便座蓋にかぶせて使用する。
【００４０】
次に、リクライニングトイレキット３００の設置手順を説明する。まず最初に、図１７に示すように、既存の便器Ｂに設置された便座Ｂ３を、上にすこし上げて、便器Ｂと便座Ｂ３の間にスペースが生じるようにする。
【００４１】
そして、図１８に示すように、便器Ｂと便座Ｂ３の間のスペースに、便座キット３の差込固定バー３１を差し入れる。そのうえで、ゴム３３を広げて、袋状になった前部補助部３２で便座Ｂ３の前半分を包み込むようにして便座キット３を便座Ｂ３に固定する。
【００４２】
さらに、背もたれカバーキット４の開口部４４を広げて、袋状になった背もたれカバーキット４を便器蓋にかぶせ、背もたれカバーキット４を便器蓋の根元まで引っ張ってしっかりと包み込むようにする。背もたれカバーキット４の縁にはゴム４３が取り付けられているため、便器蓋に、背もたれカバーキット４が、しっかりフィットし固定される。
【００４３】
図１９に示すように、リクライニングトイレキット３００は、既存の便座を取り外さず、そのまま使用できるメリットがある。また、ウォッシュレット便座は、便座の裏に着座センサーが設けられていることが一般的であるが、リクライニングトイレキット３００は、平板状の差込固定バーを便座の裏に差し入れる形態のため、便座裏に着座センサーが設けられているウォッシュレット便座でも、センサーの動作を邪魔しない。また、
便座キット３は、ウォッシュレット便座の前部を覆うのみで、中央から後部は、覆わない構造のため、便座の表面に着座センサーがあるウォッシュレット便座でも、センサーの動作を邪魔しない。ウォッシュレット機能を残したまま、便器を、リクライニングトイレとすることができ、衛星的に、快適にトイレタイムを過ごすことができる。
【００４４】
本発明のリクライニングトイレキットでは、便座キットと背もたれキットとを備えた形態としたが、便座キットだけで実施しても良いし、背もたれキットのみを実施しても良い。また、肘掛けのほか、便器の下部に、足置きを設置したり、膝裏があたる部分にクッションを設けた足置きを設置しても良い。
【００４５】
以上、本発明のリクライニングトイレキットについて説明したが、本発明は、上記実施形態に限定されるものではなく、本発明の要旨を逸脱しない範囲において、各種の改良や変更を行ってもよい。
【符号の説明】
【００４６】
１００，２００，３００  リクライニングトイレキット
１  便座キット
１１  開口部
１２  便座前部
１３  便座中央部
１４  便座後部
１５  接続部
１６  取付具
１７  肘掛け
２  背もたれキット
２１  クッション部
２２  頭部
２３  側部
２４  接続具
３  便座補助キット
３１  差込固定バー
３２  前部補助部
３３  ゴム
４  背もたれカバーキット
４１  頭部
４２  背もたれ部
４３  ゴム
４４  開口部
Ｈ  人
Ｂ  便器
Ｂ１  取付具
Ｂ２  ウォッシュレット
Ｂ３  便座
Ｗ  タンク
【図１】
2016116696.tif 000003
【図２】
2016116696.tif 000004
【図３】
2016116696.tif 000005
【図４】
2016116696.tif 000006
【図５】
2016116696.tif 000007
【図６】
2016116696.tif 000008
【図７】
2016116696.tif 000009
【図８】
2016116696.tif 000010
【図９】
2016116696.tif 000011
【図１０】
2016116696.tif 000012
【図１１】
2016116696.tif 000013
【図１２】
2016116696.tif 000014
【図１３】
2016116696.tif 000015
【図１４】
2016116696.tif 000016
【図１５】
2016116696.tif 000017
【図１６】
2016116696.tif 000018
【図１７】
2016116696.tif 000019
【図１８】
2016116696.tif 000020
【図１９】
2016116696.tif 000021